(57)【要約】【課題】  日々の礼拝の対象となる本位牌に対する専用の位牌カバーを提供しようとするものであり、損傷防止、汚損防止、劣化予防効果を得ることに加え、美化装飾された位牌カバーを装着することにより、日々のお参りを通して先祖や故人に対する供養と感謝の心の涵養を図り信仰心を高めようとするものである。【解決手段】  位牌の損傷、汚損、劣化を予防し、心からの礼拝の対象とするために伸縮性等を有する布地を用いて位牌全体を覆い、伸縮性のあるゴムテープ、或いはファスナー等を各所に施して位牌と位牌カバーの密着性を高め、ズレを防ぐと共に位牌の着脱を容易にし、位牌の戒名部や台座部に袋状或いは、スカート状、エプロン状の布を施し、それらの布地に草花、動物、器物、天体等の文様を施し、更にビーズ、レース等によりそれらの形を模した装飾を多彩に施した位牌カバーを本位牌に装着する。【選択図】  図２１
2005342449.tif 000002
【特許請求の範囲】
【請求項１】
位牌の戒名部及び台座部を布製の生地で覆い、戒名が視認できるようにした位牌カバー。
【請求項２】
位牌の背面部に位牌本体の着脱を容易にするためファスナーを施した特徴を有する請求項１の位牌カバー。
【請求項３】
位牌の背面部に位牌本体の着脱を容易にするためマジックテープを施した特徴を有する請求項１の位牌カバー。
【請求項４】
位牌の背面部に位牌本体の着脱を容易にするためゴム製のものを施した特徴を有する請求項１の位牌カバー。
【請求項５】
戒名が視認できるように弾性体の枠を施した特徴を有する請求項１、２、３、４の位牌カバー。
【請求項６】
戒名部と台座部の境界部位に伸縮性のあるゴム製のものを施した特徴を有する請求項１、２、３、４、５の位牌カバー。
【請求項７】
台座部に伸縮性のあるゴム製のもの施した特徴を有する請求項１、２、３、４、５６の位牌カバー。
【請求項８】
台座部に当たる部分の布製の生地に、ゆとりとスリムさを与えるためスリットを施した特徴を有する請求項１、２、３、４、５、６、７の位牌カバー。
【請求項９】
戒名部と台座部の境界部分にスカート状の布を施した特徴を有する請求項１、２、３、４、５、６、７、８の位牌カバー。
【請求項１０】
戒名部の側面及び上部を含む周囲に伸縮性のあるゴム製のものを設けた特徴を有する請求項１、２、３、４、５、６、７、８、９の位牌カバー。
【請求項１１】
布製の生地を袋状にして戒名部を覆い、戒名が視認できるようにした位牌カバー。
【請求項１２】
戒名部と台座部の境界部分に伸縮性のあるゴム製のものを施した請求項１１の位牌カバー。
【請求項１３】
戒名部と台座部の境界部分にスカート状の布を施した請求項１１、１２の位牌カバー。
【請求項１４】
戒名が視認できるように弾性体の枠を施した特徴を有する請求項１１、１２、１３の位牌カバー。
【請求項１５】
戒名部の側面及び上部を含む周囲に伸縮性のあるゴム製のもの施した特徴を有する請求項１１、１２、１３、１４の位牌カバー。
【請求項１６】
位牌の背面部に位牌本体の着脱を容易にするためファスナーを施した特徴を有する請求項１１、１２、１３、１４、１５の位牌カバー。
【請求項１７】
位牌の背面部に位牌本体の着脱を容易にするためマジックテープを施した特徴を有する請求項１１、１２、１３、１４、１５の位牌カバー。
【請求項１８】
位牌の背面部に位牌本体の着脱を容易にするためゴム製のものを施した特徴を有する請求項１１、１２、１３、１４、１５の位牌カバー。
【請求項１９】
布製の生地をスカート状にして台座部分を覆い、主に台座部分のカバーを目的とした位牌カバー。
【請求項２０】
布製の生地をエプロン状にして台座部分を覆い、主に台座部分のカバーを目的とした位牌カバー。
【請求項２１】
請求項１１、１２、１３、１４、１５、１６、１７、１８の戒名部を覆う位牌カバーと請求項１９、２０の台座部分のカバーを目的とした位牌カバーをセットとして併用した状態の位牌カバー。
【請求項２２】
伸縮性のある布製の生地を使用した請求項１、２、３、４、５、６、７、８、９、１０、１１、１２、１３、１４、１５、１６、１７、１８、１９、２０、２１の位牌カバー。
【請求項２３】
動物、植物、幾何、器物、自然風景、天体を文様とした図柄を有する請求項１、２、３、４、５、６、７、８、９、１０、１１、１２、１３、１４、１５、１６、１７、１８、１９、２０、２１、２２の位牌カバー。
【請求項２４】
ビーズ、レース、布、宝石を用いて装飾を施した請求項１、２、３、４、５、６、７、８、９、１０、１１、１２、１３、１４、１５、１６、１７、１８、１９、２０、２１、２２、２３の位牌カバー。
【発明の詳細な説明】
【技術分野】
【０００１】  本発明は、布地にビーズやレース等で草花、小動物などを形取った装飾を施したり、布地そのものに花柄や文様を施したものを袋状、スカート状やエプロン状にして位牌の戒名部や台座部をそれぞれ覆ったり被せたもので、位牌の表側の戒名部には弾性体の枠を設けるなどして戒名が視認出来るように空間部分を施し布地そのものにも伸縮性のあるものを用いたり、裏面にはファスナー等を設け位牌本体の着脱を容易にしたもので、位牌の劣化防止、損傷防止、汚損防止効果を得ると共に、美化装飾を施した位牌カバーである。【０００２】  又、位牌の台座部分には伸縮性のあるゴムテープ状の物を施し位牌本体と位牌カバーを固定しズレを防ぐようにすると共に、その上にスカート状の布を施し、ゴムテープ状の部分の隠蔽と共に全体的装飾を兼ねた効果を与え、これにも上記装飾を施したものである。【０００３】  又、上記位牌カバーの戒名部と台座部に相当する部分をそれぞれ分離独立させ、台座部には下地となる生地を廃し、スカート状の布地を直接被せることにより、あらゆる形態の位牌に対応出来るようにしたもので、これにも上記装飾を施したものある。
【背景技術】
【０００４】  従来、位牌カバーは葬儀場で使用される白木位牌にのみ、希に付されており、もっぱら布地に文様を描いただけの単純なもので、葬儀の際、祭壇の装飾に付随した一時的な装飾のためにのみ使用され、その後の在家の本位牌への使用は全く無い。【０００５】  更に布地には伸縮性やファスナー等の設備が無く、単に白木位牌に被せ覆うだけで特別な装飾も無く単純なものであった。
【発明の開示】
【発明が解決しようとする課題】
【０００６】  従来の位牌カバーは希に葬儀の際に用いられ、白木位牌にのみ装着されていた単純な装飾を施した簡単な物で葬儀用の白木位牌専用の位牌カバーであり、葬儀後の日々の礼拝の対象となる本位牌への使用は全く無かった。本発明は、これまで誰も予定し得なかった本位牌に対する専用の位牌カバーであり、損傷防止、汚損防止、劣化予防効果に加え、本位牌に美化装飾された位牌カバーを装着することにより、日々のお参りを通して先祖や故人に対する供養と感謝の心の涵養を図り信仰心を高めようとするものである。
【課題を解決するための手段】
【０００７】  位牌の損傷、汚損、劣化を予防するために伸縮性等の有る布地を用いて位牌全体を覆い、伸縮性のあるゴムテープ状の物、或いはファスナー等を各所に施して位牌と位牌カバーの密着性を高めズレを防ぐと共に位牌の着脱を容易にし、位牌の戒名部や台座部に袋状或いは、スカート状、エプロン状の布を施し、それらの布地に草花、動物、器物、天体等の文様を施し、更にビーズ、レース等によりそれらの形を模した装飾を多彩に施した位牌カバーを本位牌に装着する。
【発明の効果】
【０００８】  装飾を施した位牌カバーを装着することにより、位牌そのものの損傷防止、汚損防止、劣化予防効果を得ると共に、日々の礼拝を通し、少なくともお彼岸や命日等に位牌カバーを装着することにより、古い位牌をその都度美しく甦らせ故人への供養とご先祖への感謝の想いを甦らせ信仰心を高める効果がある。【０００９】  又、位牌を新しくするためには魂抜きや御霊入れが必要であるが、お坊様を頼むには費用も時間もかかるし、頼む方法が判らなかったり躊躇したりする人でも本位牌カバーを使用することで気軽にしかも手軽に位牌を新しく甦らせることができ、毎回清々しい気持ちでお参りができ先祖供養にも繋がり、又、その装飾、造形の可能性は無限であり仏の心に見合うものである。
【発明を実施するための最良の形態】
【００１０】  本発明は、本位牌に使用する位牌カバーであり、伸縮性の有る布生地２を袋状にして戒名部に被せ、戒名が視認出来るように弾性体の枠であるゴム製の枠６を取り付けて空間部を設け、あらゆる形状の位牌にフィットさせる目的と合わせ位牌の着脱を容易にする効果を得るために戒名部の側面及び上部周辺に伸縮性のあるゴムテープ５を帯状に施し、更に位牌の背面部にファスナー３を施し、合わせて戒名部と台座部の境界部にスカート状の布Ａ８を施し戒名部の布と一体となす。【００１１】  更に台座部には戒名部とは分離独立した伸縮性のあるゴムテープ４を施したスカート状の布Ｂ１０を装着し、あらゆる形態の位牌に対応出来るようにした。【００１２】  更に布生地にはビーズやレース、布等で草花、小動物などを形取った装飾を施したり、布地そのものに花柄や文様を施したものを使用することとした。
【実施例１】
【００１３】  図２１は伸縮性の布生地を使用し戒名が視認できる様にゴム製の枠６を施したもので位牌部の側面及び上部周辺に伸縮性のあるゴムテープ５を帯状に施し、更に戒名部と台座部の境界部分にスカート状の布地Ａ８を施し、台座部には戒名部の布生地とは分離独立したスカート状の布地Ｂ１０を装着した状態のものである。
【実施例２】
【００１４】  図２２は図２１の位牌カバーの布生地にビーズやレース、布等で草花を形取った装飾を施し、布地そのものにも文様を施したものである。
【図面の簡単な説明】
【００１５】
【図１】本図面は請求項１及び請求項８の台座部に当たる部分にスリットを施した状態の実施例であり、その正面図（イ）及び背面図（ロ）である
【図２】本図面は請求項２及び請求項８の台座部に当たる部分にスリットを施した状態の実施例であり、位牌の背面にファスナーを施した状態を示すものである。
【図３】本図面は請求項３及び請求項８の台座部に当たる部分にスリットを施した状態の実施例であり、位牌の背面にマジックテープを施した状態を示すものである。
【図４】本図面は請求項４及び請求項８の台座部に当たる部分にスリットを施した状態の実施例であり、位牌の背面にゴムテープを施した状態を示すものである。
【図５】本図面は請求項５及び請求項８の台座部に当たる部分にスリットを施した状態の実施例であり、ゴム製枠を施した状態の位牌カバーを示す正面図（イ）及び、横断面図（ロ）並びにその拡大図（ハ）であり、（ニ）はゴム製枠本体を示す斜視図である。
【図６】本図面は請求項６及び請求項８の台座部に当たる部分にスリットを施した状態の実施例であり、その正面図（イ）及び背面図（ロ）である。
【図７】本図面は請求項７の実施例であり、その正面図（イ）及び背面図（ロ）である。
【図８】本図面は請求項８の実施例であり、台座部に当たる部分にスリットを施した状態を示す正面図（イ）及び背面図（ロ）である。
【図９】本図面は請求項９の実施例であり、その正面図（イ）及び請求項２の位牌の背面部にファスナーを施した状態を示す背面図（ロ）及び側面図（ハ）である。
【図１０】本図面は請求項１０の実施例であり、その斜視図である。
【図１１】本図面は請求項１１の実施例であり、その斜視図である。
【図１２】本図面は請求項１２の実施例であり、その斜視図（イ）及び背面図（ロ）である。
【図１３】本図面は請求項１３の実施例であり、その斜視図（イ）及び背面図（ロ）である。
【図１４】本図面は請求項１４の実施例であり、その斜視図である。
【図１５】本図面は請求項１５の実施例であり、その斜視図である。
【図１６】本図面は請求項１６の実施例であり、位牌の背面部にファスナーを施した状態を示す背面図である。
【図１７】本図面は請求項１７の実施例であり、位牌の背面部にマジックテープを施した状態を示す背面図である。
【図１８】本図面は請求項１８の実施例であり、位牌の背面部にゴムテープを施した状態を示す背面図である。
【図１９】本図面は請求項１９の実施例であり、その斜視図である。
【図２０】本図面は請求項２０の実施例であり、位牌の背面の斜視図である。
【図２１】本図面は請求項２１の実施例であり、戒名部を主に覆う位牌カバーと台座部を主に覆う位牌カバーとをそれぞれ併用した状態を示す斜視図である。
【図２２】本図面は請求項２１、２２、２３、２４のそれぞれを併用した状態を示す実施例であり、その正面図である。
【符号の説明】
【００１６】  １  位牌本体
２  布製の生地
３  ファスナー
４  マジックテープ
５  ゴムテープ
６  ゴム製の枠
７  縫製部分
８  スカート状の布Ａ（戒名部の布と一体のもの）
９  主に戒名部分のみを覆う袋状の位牌カバー
１０  スカート状の布Ｂ（戒名部の布とは分離、独立型のもので主に台座部を覆うもの）
１１  ビーズや布等で草花を形取った装飾物
１２  レースで装飾を施した布生地
１３  スリット
１４  エプロン状の布（戒名部の布とは分離、独立型のもので主に台座部を覆うもの）
【図１】
2005342449.tif 000003
【図２】
2005342449.tif 000004
【図３】
2005342449.tif 000005
【図４】
2005342449.tif 000006
【図５】
2005342449.tif 000007
【図６】
2005342449.tif 000008
【図７】
2005342449.tif 000009
【図８】
2005342449.tif 000010
【図９】
2005342449.tif 000011
【図１０】
2005342449.tif 000012
【図１１】
2005342449.tif 000013
【図１２】
2005342449.tif 000014
【図１３】
2005342449.tif 000015
【図１４】
2005342449.tif 000016
【図１５】
2005342449.tif 000017
【図１６】
2005342449.tif 000018
【図１７】
2005342449.tif 000019
【図１８】
2005342449.tif 000020
【図１９】
2005342449.tif 000021
【図２０】
2005342449.tif 000022
【図２１】
2005342449.tif 000023
【図２２】
2005342449.tif 000024